(57)【要約】【課題】効果と利益を統合的に評価するマルチメディア資料の伝送及びフィードバックシステムを提供する。【解決手段】サーバー２を備え、スポンサー１が各広告サイト４の広告効益を調べ、この情報を参考する上で、分析モジュール２３及び費用計算モジュール２４を用いて評価してから、広告サイト４と広告装置４１を選び、広告内容をサーバー２のデータベース２１中に保存し、仲介サーバー３を利用して広告内容のＵＲＬ、放送時間及び広告装置４１の識別コードを広告装置４１へ送信し、放送時間に達すると、広告装置４１はデータベース２１の広告内容を取得し、広告装置４１で放送する。また、視聴測定装置４２を備え、広告の視聴状況を評価し、視聴状況の情報を回収して分析した後、広告の効果と利益の分析データをスポンサー１に送る。【選択図】図１
2010108259.tif 000002
【特許請求の範囲】
【請求項１】
広告主がネットワークを利用して広告を掲載することの可能な広告の効果と利益を統合的に評価するマルチメディア資料の伝送及びフィードバックシステムであって、
サーバーと仲介サーバーと複数個の広告サイトとを備え、各前記広告サイトには識別コードを有する広告装置が少なくとも一つ設けられ、これらの構成要素はネットワークで連接されており、
前記サーバーは、広告主が操作と広告パラメーターを入力する操作インターフェースと、各前記広告装置の広告の効果と利益の情報を記憶するデータベースと、広告パラメーターを分析することによって条件に合う広告装置が得られる広告の効果と利益の情報分析モジュールと、前記広告の効果と利益の情報に対応する広告費用を算出する費用計算モジュールとを備え、広告主が広告の効果と利益の情報分析モジュールによって得られた広告情報によって、広告を放送する広告サイト、広告装置及び広告時間を選択し、放送しようとする広告の内容を前記のデータベースにアップロードすると、広告主がアップロードした広告内容に接続できるＵＲＬを作り、
前記仲介サーバーは、サーバーから送信された広告装置の識別コード、放送時間及びＵＲＬ情報を受信し、広告装置の識別コードによって選択した放送時間及びＵＲＬ情報を選択された広告装置へ送信し、
前記広告装置は、放送時間になると、受信されたＵＲＬによってデータベースに接続し、ＵＲＬに対応している広告内容を放送し、前記広告装置に備えられた視聴測定装置が、広告を視聴している人の人数を測定及び記録し、このデータを仲介サーバーを経由してサーバーへ送信し、また、分析モジュールによって受信されたデータを分析した後、各広告サイトの広告装置の広告の効果と利益の情報を更新し、データベースに保存することを特徴とする広告の効果と利益を統合的に評価するマルチメディア資料の伝送及びフィードバックシステム。
【請求項２】
前記広告の効果と利益の情報には、各広告装置の人気時間帯及びそれに対応している広告費用計算方法が含まれていることを特徴とする請求項１に記載の広告の効果と利益を統合的に評価するマルチメディア資料の伝送及びフィードバックシステム。
【請求項３】
前記視聴者測定装置は赤外線熱感応ユニットであり、広告視聴者が所定時間を越えて滞留した場合一人として測定することにより視聴人数を計測することを特徴とする請求項１に記載の効果と利益を統合的に評価するマルチメディア資料の伝送及びフィードバックシステム。
【請求項４】
前記所定時間が５〜７秒であることを特徴とする請求項３に記載の効果と利益を統合的に評価するマルチメディア資料の伝送及びフィードバックシステム。
【請求項５】
前記視聴者測定装置は人顔認識ユニットであり、キャッチされた人顔が予め記憶されたサンプルと合う場合一人として計測することを特徴とする請求項１に記載の効果と利益を統合的に評価するマルチメディア資料の伝送及びフィードバックシステム。
【請求項６】
前記人顔認識ユニットは識別プログラムと、前記識別プログラムと併せて使用するレンズ組を備えることを特徴とする請求項５に記載の効果と利益を統合的に評価するマルチメディア資料の伝送及びフィードバックシステム。
【請求項７】
前記視聴者測定装置は圧力感知ユニットであり、広告装置上のこの圧力感知ユニットがタッチされると、一人として計測することを特徴とする請求項１に記載の効果と利益を統合的に評価するマルチメディア資料の伝送及びフィードバックシステム。
【請求項８】
前記圧力感知ユニットがタッチされると、広告装置のデータ送信インターフェースが立ち上がり、放送している特定的な広告の内容を視聴者の少なくとも一つの移動装置へ送信することを特徴とする請求項７に記載の効果と利益を統合的に評価するマルチメディア資料の伝送及びフィードバックシステム。
【請求項９】
前記特定的な広告の内容は電子クーボン又はバーコードであることを特徴とする請求項８に記載の効果と利益を統合的に評価するマルチメディア資料の伝送及びフィードバックシステム。
【請求項１０】
広告主は放送しようとする広告の内容をサーバーのデータベース以外の少なくとも一つのデータベースに保存し、広告の内容に対応付けられているＵＲＬをサーバーに入力すればよいことを特徴とする請求項１に記載の効果と利益を統合的に評価するマルチメディア資料の伝送及びフィードバックシステム。
【請求項１１】
前記広告サイトはビジネスビル、団地マンション、駅、バス停、信号、病院、映画館、エレベータ等の公衆場所及び公衆交通手段であることを特徴とする請求項１に記載の効果と利益を統合的に評価するマルチメディア資料の伝送及びフィードバックシステム。
【請求項１２】
前記広告サイトがエレベータの場合、広告装置はエレベータ内に設置され、広告装置にエレベータのドア開閉感知センサー、又はエレベータの昇降を感知する重力センサーが設けられ、エレベータのドアが開ける時、又はエレベータが上下移動するときに、広告装置で広告の内容を放送することを特徴とする請求項１に記載の効果と利益を統合的に評価するマルチメディア資料の伝送及びフィードバックシステム。
【請求項１３】
前記広告装置から前記サーバーに送信された人数及び他の情報のデータについて、分析モジュールを用いて効果と利益の分析を行った後、効果と利益の分析情報を広告依頼者である広告主に送信することを特徴とする請求項１に記載の効果と利益を統合的に評価するマルチメディア資料の伝送及びフィードバックシステム。
【請求項１４】
前記効果と利益の分析情報を送信するには、電子メール、携帯電話メール、直地通信及び前記サーバーのウェブサイトに登録した時に表示する方法があることを特徴とする請求項１３に記載の効果と利益を統合的に評価するマルチメディア資料の伝送及びフィードバックシステム。
【請求項１５】
前記広告装置は表示装置と、情報処理装置と、情報記憶装置と、ネットワークインターフェースとを備えることを特徴とする請求項１に記載の効果と利益を統合的に評価するマルチメディア資料の伝送及びフィードバックシステム。
【請求項１６】
前記操作インターフェースは、プルダウンメニュー表又は広告サイト地図表示形式であることを特徴とする請求項１に記載の効果と利益を統合的に評価するマルチメディア資料の伝送及びフィードバックシステム。
【請求項１７】
前記広告装置の識別コード、選択した放送時間及びＵＲＬ等の情報は、第1文字列定義ファイルに圧縮され、前記仲介サーバーを経由して前記広告装置へ送信されることを特徴とする請求項１に記載の効果と利益を統合的に評価するマルチメディア資料の伝送及びフィードバックシステム。
【請求項１８】
広告を視聴している人数に関する情報は、第２文字列定義ファイルに圧縮され、仲介サーバーを経由してサーバーへ送信されることを特徴とする請求項１に記載の効果と利益を統合的に評価するマルチメディア資料の伝送及びフィードバックシステム。
【発明の詳細な説明】
【技術分野】
【０００１】
本発明は効果と利益を統合的に評価するマルチメディア資料の伝送及びフィードバックシステムに関する。特に、仲介サーバーを用いて、サーバーとデータベースと広告装置間に広告情報を伝送するシステムである。
【背景技術】
【０００２】
従来、商品の広告は、新聞、雑誌及びテレビなどのマスコミツールに載せられ、公衆に視聴されることによって、商品の販売を促進する。
しかし、上述した広告方式にはさまざまな問題が存在する。例え、商品を求めようとする潜在的な購買者層は、新聞、雑誌及びテレビなどのマスコミツールを視聴する視聴者層とは異なるため、広告効果の薄い場合が多い。広告主は、広告効果の薄い状況を改善するために、広告の放送時間を延長するか、異なる種類のマスコミツールを増やす。これは、広告費用の増大を及ぼすだけで、広告の効果と利益の上昇は限られている。
【０００３】
また、現在、ビジネスビル、駅及び他の公衆の場所に設置されている広告パネルもある。この種類の広告パネルで放送されている広告は、広告パネルの記憶装置に保存されている。例えば、ビデオテープ、ＣＤ、ＤＶＤ又はハードディスク等の記憶装置に保存されている。そして、広告主が購入した時間帯が終了するまで、保存された広告を繰り返して放送する。また、このような放送方式は時間帯、消費者層などの条件を特定して放送をすることができない。
【０００４】
そのため、上述された方式にはいくつかの問題がある。例えば、記憶装置に保存された広告内容を定期的に更新しなければならない。そして、広告が放送されるとき、人が視聴しているかどうか、広告の効果があるかどうかを判断することができない。つまり、広告主はこのような広告方式によって、公衆の視聴状況と広告の効果と利益を判断することができない。
【０００５】
また、ネットワークを経由して放送しようとする広告の内容を選択されたスクリーンへ直接にダウンロードすることができる。このような広告方式で使われるスクリーンには大容量のハードディスク（又は同じ種類の記憶装置）が設置され、音声、写真、音楽及び他種類の映像と音声のデータを保存する。
【０００６】
通常、このような映像と音声のデータを保存するには、大きな記憶容量を必要とする。そして、広告主が映像と音声の質を向上させるために、必要とする記憶容量も倍になる可能性がある。よって、スクリーンに設置されたハードディスクの容量が不足する。この問題を解決するために、大量のハードディスクを予め予備しておかなければならない。これは、設備のコストを増大させるだけで、広告の実際的な効果を評価することはできない。
【０００７】
例えば、各広告サイトに併せて１００個の広告用スクリーンが設置されているとすれば、少なくとも１００個のハードディスクを用意しなければならない。また、１００個の広告用スクリーンに対する広告主の愛顧がそれぞれ異なっているため、少なくとも委託放送が比較的に多い広告用スクリーンがある。このため、委託放送が比較的に多い広告用スクリーンにはさらにハードディスクを予備しておかなければならない。これに対し、委託放送が比較的に少ない広告用スクリーンのハードディスクの利用率は低い。
【０００８】
例えば、委託放送が比較的に少ない広告用スクリーンが３０個ある場合、基本的なスペックとして、これらのスクリーンに３０個のハードディスクを設置しなければならない。しかし、この３０個のハードディスクは、すべて利用率が低い状態になっている。そして、ハードディスクの故障のために補修、交換することもとても不便である。よって、設備コストの浪費をもたらす。
【発明の開示】
【発明が解決しようとする課題】
【０００９】
本発明の目的は、広告内容を予めネットワークサーバーのデータベース中に保存し、仲介サーバーを経由してサーバーと広告サイドの広告装置を接続し、広告時間になると、データベース中に保存された広告内容を放送し、広告装置毎にハードディスクが配置される高コスト問題を克服し、広告の効果および利益を統合的に評価することを可能とするマルチメディア資料の伝送及びフィードバックシステムを提供することにある。
また、本発明の目的は、広告主がネットワークを利用して広告を便利に掲載し、予め実質的な広告の効果と利益について評価することができるマルチメディア資料の伝送及びフィードバックシステムを提供することにある。
さらに、本発明の目的は、広告主は広告放送後の効果と利益の分析情報を便利に取得できるマルチメディア資料の伝送及びフィードバックシステムを提供することにある。
【課題を解決するための手段】
【００１０】
上述された目的を達成するために、本発明は、効果と利益を統合的に評価するマルチメディア資料の伝送及びフィードバックシステムであり、広告主がネットワークを利用して広告を掲載する技術を提供する。このシステムには、サーバーと仲介サーバーと複数個の広告サイトとを備え、各広告サイトには識別コードを有する広告装置が少なくとも一つ設けられ、これらの構成要素はネットワークで連接されている。
【００１１】
サーバーは、広告主が操作と広告パラメーターを入力する操作インターフェースと、各広告装置の広告の効果と利益の情報を記憶するデータベースと、広告パラメーターを分析することによって条件に合う広告装置が得られる広告の効果と利益の情報分析モジュールと、前記広告の効果と利益の情報に対応する広告費用を算出する費用計算モジュールとを備える。広告主は、広告の効果と利益の情報分析モジュールによって得られた広告情報によって、広告を放送する広告サイト、広告装置及び広告時間を選択し、放送しようとする広告の内容を前記のデータベースにアップロードする。サーバーは広告主がアップロードされた広告内容に接続できるＵＲＬを作る。
【００１２】
仲介サーバーは、サーバーから送信された広告装置の識別コード、放送時間及びＵＲＬ情報を受信し、広告装置の識別コードによって選択した放送時間及びＵＲＬ情報を選択された広告装置へ送信する。
【００１３】
広告装置は、放送時間になると、受信されたＵＲＬによってデータベースに接続し、ＵＲＬに対応している広告内容を放送する。この報告装置には視聴測定装置が備え、広告を視聴している人の人数を測定及び記録する。そして、このデータを仲介サーバーを経由してサーバーへ送信する。また、分析モジュールによって受信されたデータを分析した後、各広告サイトの広告装置の広告の効果と利益の情報を更新し、データベースに保存する。
【発明を実施するための最良の形態】
【００１４】
本発明の一実施例の構造を図１〜７に示す。本発明は、これらの図面に示された構成に限らない。
以下は、本実施例の「効果と利益を統合的に評価するマルチメディア資料の伝送及びフィードバックシステム」である。図１に示されたように、このシステムは、広告主１がネットワークを利用して広告を掲載する技術であり、サーバー２と、仲介サーバー３及び複数個の広告サイト４から構成されている。本システムを実施するとき、広告サイト４はビジネスビル、団地マンション、駅、バス停、信号、病院、映画館、エレベータ等の公衆場所及び公衆交通手段であってもよいし、また特定的な広告が必要とする展覧会場などの場所であってもよい。
【００１５】
また、上記された広告サイト４には識別コード（ＩＤ）を有する広告装置４１が少なくとも一つ設けられている。実施するとき、この広告装置４１は、広告の内容を表示する表示装置（スクリーン）４１０と、情報処理装置（ＣＰＵ、中央処理装置）と、小容量の情報記憶装置及びネットワークインターフェースとを備える。
【００１６】
また、サーバー２と、仲介サーバー３と、広告サイト４の広告装置４１との間は、ネットワーク５によって繋がれ、情報が伝送される。サーバー２はデータベース２１と、操作インターフェース２２と、分析モジュール２３及び費用計算モジュール２４とを備える。操作インターフェース２２は、ホームページの形式で表示され、Ｗｅｂ２．０のネットワーク技術が使用されている。これで、コミュニティマーケティングを実現し、ロングテールでさらに多い小規模企業にサービスを提供し、販売の効果と利益を全体的に向上させる。
【００１７】
さらに、上述された操作インターフェース２２は、広告主のために操作及び広告パラメーターの入力を行う条件を提供する。例えば、商品の種類、求める潜在的な購買層（学生、婦人、老人、会社人、パート等）、可能な放送時間等の条件パラメーターを入力することができる。データベース２１は各広告装置４１の広告の効果と利益の情報を記憶する。この広告の効果と利益の情報とは、各広告サイト４の広告装置４１の所定時間内で統計された商品広告の効果と利益の情報である。例えば、どこの広告サイト４の広告装置４１で放送された何種類の商品が、広告後に販売額が増加したか等の情報、または、その広告サイトを通り過ぎた人数等の情報である。分析モジュール２３は広告条件パラメーターを分析し、広告主１の求める条件パラメーターに合う広告サイト４及び広告装置４１の広告の効果と利益の情報を得る。費用計算モジュール２４は、前記広告の効果と利益の情報に対応付けられている広告費用を算出し、広告主１が自分の広告経費に合うかを判断できるようにする。
【００１８】
広告主１は上述された広告の効果と利益の情報に基づいて、その需要によって広告サイト４、広告装置４１及び放送時間帯を選択することができる。また、ネットワーク５を経由して放送しようとする広告の内容をアップロードし、データベース２１の中に保存するとともに、サーバー２によって広告内容に接続できるＵＲＬが作られる。上述された操作インターフェース２２はプルダウンメニュー表であり、図２に示されたように普通のプルダウンメニュー表２２１にすることもできる。又は、操作インターフェース２２を広告サイト地図表示模式２２２にすることもできる。図３に示されたように、地図中の黒い点は広告サイト４を意味する。なお、この図３は特定の場所を限定するものでない。
【００１９】
本実施例の中で、上述された広告の効果と利益の情報は、各広告装置４１によって継続統計した後の人気時間帯、及びお互いに対応付けられている広告費用の計算方法を含み、これら基づいて分析モジュール２３によって分析した後、広告主１は需要に合うか判断する。
【００２０】
仲介サーバー３は、ネットワーク５を経由してサーバー２から送信された広告装置４１の識別コード（ＩＤ）、広告主１によって選択された放送時間及び広告の内容に対応付けられているＵＲＬ等の情報を受信する。そして、広告装置４１の識別コードを確認し、選択した放送時間及びＵＲＬ等の情報を選択された広告装置４１へ送信し、広告装置４１の小容量の情報記憶装置に一時的に保存される。
【００２１】
広告装置４１は、放送時間になると、自動的に仲介サーバー３から受信されたＵＲＬによってデータベース２１に接続し、ＵＲＬに対応付けられている広告の内容を放送する。そして、この広告装置４１には視聴状況を測定する視聴測定装置４２が設けられ、広告を視聴している人数を測定及び記録する。広告装置４１は、広告を視聴している人数等の情報を仲介サーバーへ送信し、仲介サーバーからサーバー２へ送信する。そして、これらの情報は、分析モジュール２３による分析を行った後、各広告サイト４の広告装置４１の広告の効果と利益の等の情報を更新し、データベース２１に記憶される。
【００２２】
本実施例の場合、上述された広告装置４１の識別コード、選択した放送時間及びＵＲＬ等の情報は、第1文字列定義ファイルに圧縮され、仲介サーバー３を経由して広告装置４１へ送信される。この第1文字列定義ファイルには他の情報が含まれ、関連のプログラムが駆動できるようにする。また、広告を視聴している人数に関する情報は、第２文字列定義ファイルに圧縮され、仲介サーバー３を経由してサーバー２へ送信される。この第２文字列定義ファイルには広告が実際に放送された後の状況に関する情報が含まれ、分析モジュール２３の分析プログラムが駆動できるようにする。
【００２３】
本実施例の場合、上述された広告装置４１からサーバー２に送信された人数及び他の情報のデータについて、分析モジュール２３を用いて効果と利益の分析を行った後、広告の効果と利益の分析情報を広告依頼者である広告主１に送信する。広告の効果と利益の分析情報を送信するには、電子メール、携帯電話メール、直地通信及びサーバー２のウェブサイトに登録した時に表示する方法がある。
【００２４】
本実施例の場合、図４に示すように、視聴測定装置４２は赤外線熱感応ユニット４２１とすることができる。このユニットは赤外線感応技術を利用して、広告視聴者が所定時間を越えて滞留した場合一人として測定することにより視聴人数を計測する。例え、所定時間を５〜７秒にし、滞留時間がこの時間より長い場合一人として計測する。
【００２５】
また、図５に示すように、視聴測定装置４２は人顔認識ユニット４２２とすることもできる。このユニットは録られた人の顔をキャッチして、予め記憶されたサンプルと合う場合一人として計測する。前記人顔認識ユニット４２２は識別プログラムと、前記識別プログラムと併せて使用するレンズ組を備える（図示なし）。
【００２６】
図６に示すように、視聴測定装置４２は圧力感知ユニットとすることもできる。広告内容を視聴している人が、広告装置４１上のタッチユニット４２３（例え、タッチボタン）をタッチすると、一人として計測する。このタッチユニット４２３をタッチすれば、広告装置４１のデータ送信インターフェース４２４が立ち上がり、放送している広告の内容を移動装置６にダウンロードすることができる。図６中の前記移動装置６は、ＰＤＡ、携帯電話、ノートパソコン、ＧＰＳ等とすることができる。また、データ送信システムは、赤外線装置、ブルートゥース、無線ラン、３．５Ｇ移動通信装置などとすることができる。例えば、放送している広告の内容中に、電子クーボン、バーコード４２５又はチケットの予約券等の情報がある場合、消費者はバーコード４２５（図６に示されている）を受信し、移動装置６中のバーコード４２５をバーコードスキャナで読み取ることにより、買い物ができる。
【００２７】
図７に示すように、広告サイト４がエレベータ４０の場合、広告装置４１をエレベータ４０の中に設置することができる。この場合、広告装置４１にはエレベータ４０のドア開閉感知センサー４３１、又はエレベータの昇降を感知する重力センサー４３２が設けられ、エレベータのドアが開ける時、又はエレベータが上下移動するときに、広告装置４１で広告の内容を放送する。図７は、エレベータ４０の内部から視た図である。
【００２８】
また、広告対象をさらに区分するため、広告主は操作インターフェース２２を利用して広告サイト４を篩い分けるとき、地価、住宅の価格又は賃金を条件パラメーターとして設定することができる。これで、広告主はどこの広告サイト４の地価、住宅の価格又は賃金が高いか低いかがわかる。この違いは、広告サイト近くの消費者の違いを表す。広告主はこれらの情報に基づいて、どこの広告サイト４にどのような広告を放送するかを決定することができ、広告内容と消費者群が合うようにする。よって、よい広告の効果とビジネス利益を得られる。例えば、高級住宅又は高級ビジネスビルの広告サイトには、値段が高いブランドなどの商品情報を広告する。
本発明は他の実施例もあるが、それは細かいところの変化に過ぎない。例えば、公告主１は、放送しようとする公告の内容をサーバー２のデータベース２１以外の少なくともひとつの外部データベース７に保存しておいてもかまわない。この外部データベース７はネットワーク５と繋がっている他のデータベースである。公告主１は、この外部データベース７に保存されている広告の内容に対応付けられているＵＲＬをサーバー２に入力すれば、サーバー２は自動的に広告の内容に対応付けられているＵＲＬ、選択された広告装置のＩＤ及び放送時間等の情報を、ネットワーク５経由で仲介サーバー３へ送信し、仲介サーバー３からこれらの情報をネットワーク５経由で広告装置４１へ送信する。そして、放送時間になると、広告装置４１で受信されたＵＲＬに対応付けられている外部データベース７中の広告の内容を放送する。
【００２９】
以上まとめると、本願発明の効果と利益を統合的に評価するマルチメディア資料の伝送及びフィードバックシステムは以下のようなメリットがある。
【００３０】
１．広告の内容が予めサーバーのデータベース中に保存され、ひとつの仲介サーバーでサーバーと広告装置を連接し、放送時間になると、広告装置がサーバーに接続し、データベースに保存された広告の内容を直ちに放送する。これで、従来の技術のように広告装置毎に大量の映像と音声のデータを保存する大容量のハードディスクが要らなくなる。故で、広告装置毎にハードディスクを設置する高コスト問題を克服でき、直ちに放送できるメリットがある。
２．広告主がネットで広告を掲載するのに便利である。広告を実際放送する前に、可能な実質的の広告の効果と利益について予め評価することができ、無駄な広告費用の節約ができる。
３．広告が放送された後、視聴者人数などに関連するデータを集め、仲介サーバーを経由してサーバーへ送信し、分析モジュールで分析を行い、広告放送後の効果と利益の分析情報が得られる。
【図面の簡単な説明】
【００３１】
【図１】本発明の一実施例のシステムの説明図である。
【図２】本発明の一実施例の操作インターフェースがプルダウンメニュー表となっている説明図である。
【図３】本発明の一実施例の操作インターフェースが広告サイト地図表示模式となっている説明図である。
【図４】本発明の一実施例の視聴測定装置が赤外線熱感応ユニットとなっている説明図である。
【図５】本発明の一実施例の視聴測定装置が人顔認識ユニットとなっている説明図である。
【図６】本発明の一実施例の視聴測定装置がタッチユニットとなっており、情報送信が行われている説明図である。
【図７】本発明の一実施例の広告装置をエレベータ内に設置した場合に、エレベータドアの開閉又はエレベータの昇降を感知することのできる説明図である。
【符号の説明】
【００３２】
１：広告主、２：サーバー、３：仲介サーバー、４：広告サイト、５：ネットワーク、６：移動装置、７：外部データベース、２１：データベース、２２：操作インターフェース、２３：分析モジュール、２４：費用計算モジュール、４０：エレベータ、４１：広告装置、２２１：プルダウンメニュー表、２２２：広告サイト地図表示模式、４２：視聴測定装置、４１０：表示装置（スクリーン）、４２１：赤外線熱感応ユニット、４２２：人顔認識ユニット、４２３：タッチユニット、４２４：データ送信インターフェース、４２５：バーコード、４３１：エレベータのドア開閉感知センサー、４３２：重力センサー、
【図１】
2010108259.tif 000003
【図２】
2010108259.tif 000004
【図３】
2010108259.tif 000005
【図４】
2010108259.tif 000006
【図５】
2010108259.tif 000007
【図６】
2010108259.tif 000008
【図７】
2010108259.tif 000009